(57)【要約】【課題】  見やすくて省スペースで設けられる２４時間表示のある携帯時計を提供する。【解決手段】    時計の２４時間の時刻を表示する表示板を備えた携帯時計であって、前記表示板４０の中心領域の表面に、相似形で内側と外側に分かれた２本の半円を形成し、この内側の半円上と外側の半円上にそれぞれ等間隔に１２個の時間表示のある時刻表示部４３、４２を設けて２４時間の時刻表示部４１を形成し、モジュールの回転軸３８ａに２４時間針３４ａが取付けられて、回転軸３８ａを中心に、２４時間針３４ａの長さの短い方の針体３４ａ１で内側の時刻表示部４３を指示し、長さの長い方の針体３４ａ２で外側の時刻表示部４２を指示するようにする。【選択図】        図３
2005221234.tif 000002
【特許請求の範囲】
【請求項１】
時計の２４時間の時刻を表示する表示板を備えた携帯時計であって、前記表示板の表面の少なくとも一部に、相似形で内側と外側に分かれた２本の半円を形成し、前記内側の半円上と前記外側の半円上にそれぞれに時刻表示部を設け、モジュールの回転軸に指針が取付けられて、回転軸を中心に、前記指針の両側の針体で前記時刻表示部を指示するようにしたことを特徴とする携帯時計。
【請求項２】
前記時刻表示部には、等間隔で１２個の表示部が設けられていることを特徴とする請求項１に記載の携帯時計。
【請求項３】
前記表示板の前記内側の半円と外側の半円のどちらかに、０時〜１２時の午前の時刻表示部と１２時〜２４時の午後の時刻表示部をそれぞれ設けたことを特徴とする請求項１または請求項２に記載の携帯時計。
【請求項４】
前記表示板の前記内側の半円上に設けた時刻表示部は午前の時刻表示部であり、前記外側の半円上に設けた時刻表示部は午後の時刻表示部であることを特徴とする請求項１、請求項２または請求項３に記載の携帯時計。
【請求項５】
前記表示板の前記内側の半円及び時刻表示部と外側の半円及び時刻表示部が、６時−１２時の中心ラインから見て３時側又は９時側に設けたことを特徴とする請求項１から請求項４のいずれか１つに記載の携帯時計。
【請求項６】
前記表示板の前記内側の半円及び時刻表示部と外側の半円及び時刻表示部が、３時−９時の中心ラインから見て６時側または１２時側に設けたことを特徴とする請求項１から請求項４のいずれか１つに記載の携帯時計。
【請求項７】
前記表示板の前記内側の半円及び時刻表示部と外側の半円及び時刻表示部を、それぞれ異なる色調で設けたことを特徴とする請求項１から請求項６のいずれか１つに記載の携帯時計。
【請求項８】
前記表示板の前記内側の半円または外側の半円の始点が、どちらかの始点に対して３０°異なる位置が始点となってそれぞれ描かれていることを特徴とする請求項１から請求項７のいずれか１つに記載の携帯時計。
【請求項９】
前記指針の一方の針体と他方の針体が、それぞれ異なる長さに形成したことを特徴とする請求項１に記載の携帯時計。
【請求項１０】
前記指針の一方の針体と他方の針体が、それぞれの表面色を異なる色調で形成したことを特徴とする請求項１または請求項９に記載の携帯時計。
【請求項１１】
前記指針の一方の針体と他方の針体が、前記内側の時刻表示部または前記外側の時刻表示部のどちらか一方を指示できるようにしたことを特徴とする請求項１、請求項９または請求項１０に記載の携帯時計。
【請求項１２】
前記指針の一方の針体と他方の針体が、回転軸を中心に円周方向に１５０°または２１０°の角度を持っていることを特徴とする請求項１または、請求項９から請求項１１のいずれか１つに記載の携帯時計。
【請求項１３】
前記表示板の内側の時刻表示部を指示する前記指針の針体と前記表示板の内側の半円及び時刻表示部とを同一色調で形成し、  前記表示板の外側の時刻表示部を指示する前記指針の針体と前記表示板の外側の半円及び時刻表示部とを同一色調で形成したことを特徴とする請求項１から請求項１２のいずれか１つに記載の携帯時計。
【発明の詳細な説明】
【技術分野】
【０００１】
本発明は、２４時間表示をする携帯時計に関するものである。
【背景技術】
【０００２】
従来の時計の中で、２４時間表示をするものとして下記に示す非特許文献がある。
【０００３】
【非特許文献１】実開昭５１−３３４６２号公報
【非特許文献２】実開平０５−８１７８７号公報
【０００４】
上記非特許文献１に示された時計は時差時計で、図９を用いて要点のみを説明する。尚、図９は上記非特許文献１に示されたところの時差時計の平面図を示している。図９に示すように、この時差時計は、時間表示盤２に等間隔に１から２４の時間を示す標示２’が付与され、この時間表示盤２の内側でモジュールの指針軸９に取付けられて、標示２’の時間に対応した時差のある世界各地の地名４が記されて２４時間に１回転する地名時盤３と、指針７が２４時間で一回転して時間を表示する構成になっている。また、６時と１８時とを境界として夜間と昼間とが色分けで区別できるようにもなっている。
【０００５】
次に、上記非特許文献２に示された時計は受信装置付き電子腕時計で、図１０を用いてその要点のみを説明する。尚、図１０は上記非特許文献２に示されたところの電子腕時計の平面図を示している。図１０から、この電子腕時計の文字板１０には、図中右側に時刻表示部１０ａが表示されており、左側にはカレンダー表示部１０ｂとモード表示部１０ｃとが表示されている。時刻表示部１０ａには一周にわたって１時〜２４時の時刻表示が有り、２４時間針１４がそれを指示するようになっている。また、分や秒を表示する目盛りなども設けられており、通常の時計に設けられている時針１３、分針１２、秒針１１などが設けられて、これらを指示するようになっている。カレンダー表示部１０ｂは、月表示、日表示などが表示されており、月針１５と日針１６がこれらの表示を指示するようになっている。モード表示部１０ｃは各国での電波受信を切り替える表示部で、スイッチボタン９の操作によってモード針１７が動き、表示された国の指示国を指すようになっている。
【発明の開示】
【発明が解決しようとする課題】
【０００６】
上記非特許文献１の下では、２４時間表示になっているので１２時間表示がない。日常習慣的に１２時間読取りが身についているので、午後の時間については、例えば、１６時を午後の４時と云うように、一々換算して理解しなければならない。日本人には馴れていないこともあって時間認識に間違い易い。また、非特許文献１によれば分針などを設けることによって分表示などもできるとされているが、時差時計になってくると日付などのカレンダー表示も欲しくなる。しかしながら、このような表示盤構造にカレンダー表示などを付与すると表示盤全体が見にくくなってくる。また、表示盤のデザインに斬新さが見受けられず、デザイン変化に乏しさが感じられるものとなっている。
【０００７】
また、上記非特許文献２は多機能表示になっているが、時刻表示部の占める面積領域が非常に小さく、しかも、そこに２４時間針、時針、分針、秒針などを設けて色々な時刻表示が分かるようになってはいるが、一見して、複雑で見にくい表示になってしまっている。一見しての即座の時刻読取りが難しい。また、時刻表示のデザインも一般的で、デザイン変化に乏しさが感じられるものとなっている。
【０００８】
本発明は、このような課題を解決するもので、その目的とするところは、デザイン変化に富んだ２４時間表示ができ、その表示面積を従来より小さくすることのできる時刻表示板とそれを用いた携帯時計を提供することである。
【課題を解決するための手段】
【０００９】
上記目的を達成する手段として、本発明の請求項１に記載の携帯時計は、時計の２４時間の時刻を表示する表示板を備えた携帯時計であって、前記表示板の表面の少なくとも一部に、相似形で内側と外側に分かれた２本の半円を形成し、前記内側の半円上と前記外側の半円上にそれぞれ時刻表示部を設け、モジュールの回転軸に指針が取付けられて、回転軸を中心に、前記指針の両側の針体で前記時刻表示部を指示するようにしたことを特徴とするものである。
【００１０】
また、本発明の請求項２に記載の携帯時計は、前記の時刻表示部には、等間隔で１２個の表示部が設けられていることを特徴とするものである。
【００１１】
また、本発明の請求項３に記載の携帯時計は、前記の表示板の内側の半円と外側の半円のどちらかに０時〜１２時の午前の時刻表示部と１２時〜２４時の午後の時刻表示部をそれぞれ設けたことを特徴とするものである。
【００１２】
また、本発明の請求項４に記載の携帯時計は、前記の表示板の内側の半円に設けた時刻表示部は午前の時刻表示部であり、外側の半円上に設けた時刻表示部は午後の時刻表示部であることを特徴とするものである。
【００１３】
また、本発明の請求項５に記載の携帯時計は、前記の表示板の内側の半円及び時刻表示部と外側の半円及び時刻表示部が、６時−１２時の中心ラインから見て３時側又は９時側に設けたことを特徴とするものである。
【００１４】
また、本発明の請求項６に記載の携帯時計は、前記の表示板の内側の半円及び時刻表示部と外側の半円及び時刻表示部が、３時−９時の中心ラインから見て６時側または１２時側に設けたことを特徴とするものである。
【００１５】
また、本発明の請求項７に記載の携帯時計は、前記の表示板の内側の半円及び時刻表示部と外側の半円及び時刻表示部をそれぞれ異なる色調で設けたことを特徴とするものである。
【００１６】
また、本発明の請求項８に記載の携帯時計は、前記の表示板の内側の半円または外側の半円の始点が、どちらかの始点に対して３０°異なる位置が始点となってそれぞれ描かれていることを特徴とするものである。
【００１７】
また、本発明の請求項９に記載の携帯時計は、前記の指針の一方の針体と他方の針体が、それぞれ異なる長さに形成したことを特徴とするものである。
【００１８】
また、本発明の請求項１０に記載の携帯時計は、前記の指針の一方の針体と他方の針体が、それぞれの表面色を異なる色調で形成したことを特徴とするものである。
【００１９】
また、本発明の請求項１１に記載の携帯時計は、前記の指針の一方の針体と他方の針体が、前記内側の時刻表示部または外側の時刻表示部のどちらか一方を指示できるようにしたことを特徴とするものである。
【００２０】
また、本発明の請求項１２に記載の携帯時計は、前記の指針の一方の針体と他方の針体
が、回転軸を中心に円周方向に１５０°または２１０°の角度を持っていることを特徴とするものである。
【００２１】
また、本発明の請求項１３に記載の携帯時計は、前記の表示板の内側の時刻表示部を指示する指針の針体と表示板の内側の半円及び時刻表示部とを同一色調で形成し、前記の表示板の外側の時刻表示部を指示する指針の針体と表示板の外側の半円及び時刻表示部とを同一色調で形成したことを特徴とするものである。
【発明の効果】
【００２２】
本発明の効果として、本発明の請求項１に記載の発明の下では、相似形に形成した２本の半円上に時刻表示部を設けている。従来の２４時間時刻表示を円形にして設けたものに較べると概ね半分ぐらいの標示面積に納められる。また、１本の指針で、且つ請求項１１に記載の発明により、２つの時刻表示部を指示することから効率的な部品利用を図っている。また、この指針はモジュールの回転軸に取り付けて用いる。従って、別な場所に新たに指針回転軸を設ける必要もないので従来のモジュールがそのまま利用できる。また、デザイン的にも斬新で、従来に見受けられなかったデザインが提供できる。
【００２３】
また、本発明の請求項２に記載の発明の下では、内側の時刻表示部及び外側の時刻表示部にそれぞれ等間隔に１２個の表示を設けることによって１２時間の表示をさせている。そして、請求項３に記載の如くの時刻表示をすることによって、午前と午後の区別した時刻表示ができ、非常に見やすく、分かり易い。また、請求項４に記載の如く、内側の時刻表示部を午前の時刻表示に、外側の時刻表示部を午後の時刻表示にすることによって読み慣れた配列になり、一見して読取り易い。
【００２４】
また、請求項５、請求項６に記載の発明の下では、色々なデザインバリエーションが得られる。また、表示板に設けられるマークや模様などと併せて時刻表示部の配置を適宜に設定できる利便性がある。
【００２５】
また、請求項７に記載の発明の下では、色分けで一目にて認識ができる。また、これは請求項１０に記載の指針の色分けも同じ効果を持ち、更に請求項１３に記載の如く、時刻表示部とそれを指す指針の針体とを同一色に統一すれば指針の色でもって一目にて午前か午後かの認識ができる。
【００２６】
また、請求項８に記載の発明の下では、新たな一つのデザインバリエーションを増やすことができる。また、請求項１２に記載の発明も同様な効果を生む。
【００２７】
また、請求項９に記載の発明の下では、内側の時刻表示部と外側の時刻表示部を分けて指示することができるので見間違いがなくなる。
【００２８】
以上のことから、本発明の携帯時計は省スペースの中で２４時間の時刻表示ができる。しかも、見やすく、読み取りやすく、読取り間違いも少ない。更に、今までに見受けられなかったデザインバリエーションが数多く得られる。
【発明を実施するための最良の形態】
【００２９】
以下、本発明の最良の実施形態を図１〜図８を用いて説明する。図１は本発明の第１実施形態に係る携帯時計の平面図を示しており、図２は図１における携帯時計の要部断面図を示している。そして、図３は図１における表示板と２４時間の時刻表示部を指示する指針との関係を示した平面図である。また、図４は本発明の第２実施形態に係る携帯時計の表示板と２４時間の時刻表示部を指示する指針との関係を示した平面図、図５は本発明の第３実施形態に係る携帯時計の表示板と２４時間の時刻表示部を指示する指針との関係を
示した平面図で、図６は図５における指針の拡大平面図を示している。また、図７は本発明の第４実施形態に係る携帯時計の平面図を示しており、図８は図７における表示板と２４時間の時刻表示部を指示する指針との関係を示した平面図を示している。尚、同一構成要素部品は同一符号を付して説明する。
【００３０】
先ず、図１、図２、図３を用いて本発明の第１実施形態に係る携帯時計を説明する。
図１、図２より、本発明の第１実施形態に係る携帯時計３０は、ケース３１の内部に中枠３７を介して取付けた表示板４０、及びモジュール３８と、このモジュール３８の回転軸３８ａに取付けられた２４時間針３４ａや時針３４ｂ、分針３４ｃ、秒針３４ｄなどを示す指針３４が納められ、そして、これらを覆う形で透明なカバーガラス３２と裏蓋３６が取付けられている。そして、ケース３１の嵌又部分にバンド３３を、ケース３１の側面にリューズ３５を取付けた構成を取っている。ここで、表示板４０及び２４時間針３４ａ以外の構成部品は既に公知となった技術仕様のものを用いているのでここでの詳細説明は省略し、表示板４０と２４時間針３４ａなる指針３４について説明することにする。
【００３１】
ここでの表示板４０には１２時間の時刻表示部４６と２４時間の時刻表示部４１が設けられている。１２時間の時刻表示部４６は、表示板４０の外周領域に一周にわたって形成され、等間隔に設けられた１時、２時、３時・・・１２時を示す１２個の時字４７と、これらの時字４７の間に等間隔に設けられた分や秒などを示す複数の指標４８とから構成されている。一方、２４時間の時刻表示部４１は、表示板４０の中心領域に形成され、相似形をした２本の半円にそれぞれ設けられた２つの時刻表示部４２、４３からなっている。
【００３２】
２４時間針３４ａなる指針３４は、モジュール３８の回転軸３８ａに取付けられて、回転軸を中心に左右両側に針体が伸びた形状をなしている。そして、上記表示板４０の２４時間の時刻表示部４１を指示しながら２４時間に１回転するようになっている。
【００３３】
図３は上記の表示板４０と２４時間の時刻表示部を指示する指針３８ａとの関係を示した平面図である。表示板４０と２４時間針３４ａなる指針３４について、図３を用いて更に詳しく説明する。
【００３４】
表示板４０はりん青銅や洋白などの金属基板からなり、メッキや塗装などの表面処理が施されている。そして、その表面の外周領域には、一周にわたって等間隔に、前述した時字４７と指標４８とからなる１２時間の時刻表示部４６が設けられている。これらの時字４７や指標４８は印刷や貼字などで形成される。また、その表面の中心領域には、内側と外側に形成された２つの時刻表示部４２、４３からなる２４時間の時刻表示部４１が設けられている。この２つの時刻表示部４２、４３は、相似形になって内側と外側に２本の半円が設けられ、その半円上にそれぞれ１２個の目盛りが等間隔に刻まれ、０時〜１２時と１２時〜２４時の時間が表示されている。そして、合わせて２４時間の時刻表示がなされている。０時〜１２時を表示した時刻表示部が午前を示し、１２時〜２４時を表示した時刻表示部が午後を示している。本実施の形態では、外側の時刻表示部４２が１２時〜２４時の時間を示した午後の時刻表示部になっており、内側の時刻表示部４３が０時〜１２時の時間を示した午前の時刻表示部になっている。この外側の時刻表示部４２と内側の時刻表示部４３はどちらを午前の時刻表示部に持ってきても構わなく、一方の時刻表示部を午前に設定すると他方は午後の時刻表示部に設定される。見慣れた習慣からすると内側に午前の時刻表示部を、外側に午後の時刻表示部を設定するのが認識が早いかと思われる。また、内側の時刻表示部と外側の時刻表示部とを色分けして区別すると尚更一目しての認識が早くなろう。
【００３５】
２４時間の時刻表示部４１は、本実施の形態では、外側の半円とその上に形成した時刻表示部４２と、内側の半円とその上に形成した時刻表示部４３とから構成しており、相似
形の半円を外側と内側に配置した構造を取っている。そして、図中中心領域の、６時−１２時ラインから見て左側、即ち９時側に半周分の面積を取って設けている。これは、右側に、即ち３時側に設けても良く、また、場合によっては３時−９時ラインから見て上側の１２時側、或いは、下側の６時側に設けても良いものである。設ける場所は特に限定するものではなく、求めるデザインに応じて適宜に配置すれば良い。
【００３６】
２４時間の時刻表示部４１の形成方法は、特に限定するものではなく、印刷方法で形成しても良く、或いはまた、電鋳方法で形成したものを貼付けして形成しても良い。
【００３７】
指針３４の１つである２４時間針３４ａはモジュール３８の回転軸３８ａに取付けられて２４時間で１回転する。この２４時間針３４ａは回転軸３８ａの中心を挟んで左右に伸びた針体３４ａ１、３４ａ２とを持っている。この２４時間針３４ａは２４時間の時刻表示部、即ち、内側の時刻表示部と外側の時刻表示を指示するもので、本実施の形態では、針体３４ａ１で内側の時刻表示部４３を指示し、針体３４ａ２で外側の時刻表示部４２を指示するようになっている。このため、針体３４ａ１と針体３４ａ２の長さが異なっており、内側の時刻表示部４３を指示する針体３４ａ１は短く、外側の時刻表示部４２を指示する針体３４ａ２は長くなっている。そして、双方の先端がそれぞれ指示する時刻表示部の所に届くようになっている。この２４時間針３４ａは２４時間で右回りに１回転するが、長さの短い針体３４ａ１で内側の時刻表示部４３を指示し終えると、長さの長い針体３４ａ２で外側の時刻表示部４２を指示するようになっている。
【００３８】
この２４時間針３４ａの長さの短い針体３４ａ１と長さの長い針体３４ａ２を異なる色でもって色分けすると一目しての認識が早くできる。更に、長さの短い方の針体３４ａ１の色とこれが指示する内側の時刻表示部４３の色を同一系統色でまとめれば指示している時刻表示部が一目して分かり、読取り間違いも少なくなる。同様に、長さの長い方の針体３４ａ２の色とこれが指示する外側の時刻表示部４２の色を同一系統色でまとめれば同様な効果が得られる。
【００３９】
表示板４０の外周領域一周にわたって設けた１２時間の時刻表示部４６は多くの携帯時計に設けられている時刻表示部と全く同じ仕様で形成している。また、この部分は本発明の主論とする所ではないので、ここでの詳細説明は省略する。
【００４０】
以上述べた２４時間表示の構成を取る携帯時計は表示板上比較的小さい面積の中で設けることができる。また、１２時間表示と完全に独立した場所に設けていることから、２４時間表示が見やすく、そして読取り易くて読取り間違いも少なくなる。これにより、多機能表示の携帯時計にあっては、他の機能の表示を大きくして見やすくすることもできる。また、デザイン的にも今までにないものが得られ、更に色々なデザインバリエーションと増やすこともできる。また、２４時間針はモジュールの回転軸に、他の指針と同様に、取付けて用いる。従来のモジュールが使用できるのて特別にモジュールを製作する必要もない。
【００４１】
次に、本発明の第２実施形態に係る携帯時計を図４を用いて説明する。図４は本発明の第２実施形態に係る携帯時計の表示板と２４時間の時刻表示部を指示する指針との関係を示した平面図を示したものである。
【００４２】
本発明の第２実施形態に係る携帯時計は、図示はしていないが、図１に示した携帯時計の表示板４０を図４に示した表示板５０に入れ替えたものになっていて、他の構成部品は皆図１に示した構成部品と同じものを用いた構成になっている。ここでの表示板５０は、図４に示すように、外周領域一周にわたって等間隔に複数設けられた時字４７や指標４８からなる１２時間の時刻表示部４６が設けられている。この１２時間の時刻表示部４６は
前述の第１実施形態で説明した１２時間の時刻表示部と全く同じ内容になっている。また、表示板５０には、中心領域の部分で２４時間の時刻表示部５１が設けられていて、この２４時間の時刻表示部５１は内側と外側に形成された２つの時刻表示部５３、５２からなっている。本実施形態の内側の時刻表示部５３は１２時〜２４時の１２個の時間が等間隔に表示されていて午後の時刻表示部に成っている。一方、外側の時刻表示部５２は０時〜１２時の１２個の時間が等間隔に表示されていて午前の時刻表示部になっている。前述の第１実施形態で示したものとは丁度逆の配置になっている。そして、この外側の午前の時刻表示部５２と内側の午後の時刻表示部５３でもって２４時間の時刻表示を行っている。
【００４３】
２４時間の時刻表示を指示する２４時間針３４ａは前述の第１実施形態で用いた２４時間針と同じものを使用している。２４時間で１回転するが、２４時間針３４ａの長さの長い方の針体３４ａ２で外側の時刻表示部５２を指示し、長さの短い方の針体３４ａ１で内側の時刻表示部５３を指示している。
【００４４】
本実施形態においては、２４時間の時刻表示部５１を３時−９時ラインから見て１２時側の方に設けたが、逆に６時側の方に設けても良い。また、内側の時刻表示部５３に午後の時間を表示し、外側の時刻表示部５２に午前の時間を表示したが、これも逆であっても良い。即ち、内側の時刻表示部５３に午前の時間を表示し、外側の時刻表示部５２に午後の時間を表示しても良い。
【００４５】
また、前述の第１実施形態と同じように、外側の時刻表示部５２と内側の時刻表示部５３を異なった色で色分けし、同様に、２４時間針３４ａの長さの長い方の針体３４ａ２と短い方の針体３４ａ１を異なった色で色分けし、更に、長さの長い方の針体３４ａ２の色とこれが指示する外側の時刻表示部５２の色を同一系統色でまとめ、長さの短い方の針体３４ａ１の色とこれが指示する内側の時刻表示部５３の色を同一系統色でまとめれば、指示している時刻表示部が一目して分かり、読取り間違いなども少なくなる。
【００４６】
以上述べた２４時間表示の構成を取る携帯時計は、表示板を正面から見ると、左右がバランスの取れた状態に視認される。メーカ名やブランド名の指標を設けるにも均整の取れる位置に配置し易い。また、前述の第１実施形態で得られた効果と同様な効果が得られる。
【００４７】
次に、本発明の第３実施形態に係る携帯時計を図５、図６を用いて説明する。図５は本発明の第２実施形態に係る携帯時計の表示板と２４時間の時刻表示部を指示する指針との関係を示した平面図を示したものである。また、図６は図５に示す２４時間の時刻表示部を指示する指針の拡大平面図を示している。
【００４８】
本発明の第３実施形態に係る携帯時計は、図示はしていないが、図１に示した携帯時計の表示板４０と指針３４の１つである２４時間針３４ａの２点の部品を図５に示した表示板６０と２４時間針６４ａに入れ替えたものになっていて、他の構成部品は皆図１に示した構成部品と同じものを用いた構成になっている。ここでの表示板６０には、図５に示すように、外周領域一周にわたって等間隔に複数設けられた時字４７や指標４８からなる１２時間の時刻表示部４６が設けられている。この１２時間の時刻表示部４６は前述の第１実施形態で説明した１２時間の時刻表示部と全く同じ内容になっている。また、表示板６０には、中心領域の部分で２４時間の時刻表示部６１が設けられている。この２４時間の時刻表示部６１は内側と外側に形成された２つの時刻表示部６３、６２からなっている。本実施形態の内側の時刻表示部６３は０時〜１２時の１２個の時間が等間隔に表示されていて午前の時刻表示部になっている。一方、外側の時刻表示部６２は１２時〜２４時の１２個の時間が等間隔に表示されていて午後の時刻表示部になっている。そして更に、外側の時刻表示部６２は内側の時刻表示部６３に対して３０度（θ１）位置をずらした状態に
設けている。即ち、内側の午前を示す時刻表示部６３の半円が６時方向をスタート点にして１２時方向で終点になっているが、これに対して、外側の午後を示す時刻表示部６２の半円は３０度（θ１）ずれた７時方向をスタート点になって始まり、１時方向で終点になっている。相似形の外側の半円を内側の半円に対して３０度右回転させた状態で設けている。
【００４９】
このような構成を取る２４時間の時刻表示部６１に用いる２４時間針６４ａは、回転軸３８ａを中心にして、長さの短い針体６４ａ１と長さの長い針体６４ａ２とを持つが、図６に示すように、長さの短い針体６４ａ１と長さの長い針体６４ａ２とが１５０度（θ２）の角度を持った形状で形成されている。即ち、短い針体６４ａ１と長い針体６４ａ２とがストレート状になっておらず、回転軸３８ａの所で１５０度折れ曲がった形状で形成されている。このような形状に形成した２４時間針６４ａは、長さの短い針体６４ａ１で内側の時刻表示部６３の指示が終わると同時に、長さの長い針体６４ａ２が外側の時刻表示部６２を指示し始める。そして、長さの長い針体６４ａ２が外側の時刻表示部６２の指示が終わると同時に、再び、長さの短い針体６４ａ１が内側の時刻表示部６３の指示をし始める。
【００５０】
本実施形態においては、外側の半円を内側の半円に対して３０度右方向に回転して設けているが、逆に、３０度左方向に回転して設けた場合には、２４時間針６４ａは２１０度（θ２）の角度に形成しなければならない。
【００５１】
このように、２４時間の時刻表示部で内側の時刻表示部と外側の時刻表示部をずれた位置に配置することによって、２４時間針の形状も変わり、携帯時計に新たなデザインを生み出す。本実施形態では３０度ずらしたもので説明したが、９０度ずらしたものでも可能である。しかしながら、９０度ずらすと２４時間の時刻表示部の面積が１．５倍に増えるので好ましいものではない。３０度ずらした状態で時刻表示部の面積増が１．１７倍であるからさほどでもない。
【００５２】
次に、本発明の第４実施形態に係る携帯時計を図７、図８を用いて説明する。ここで、図７は本発明の第４実施形態に係る携帯時計の平面図を示しており、図８は図７における表示板と２４時間の時刻表示部を指示する指針との関係を示した平面図を示している。図７に示すように、本発明の第４実施形態の携帯時計７０は、前述の図１に示した第１実施形態の携帯時計３０と異なる所は、２４時間の時刻表示部が表示板の中心領域の部位ではなく全く別な部位に設けていること、また、それを指示する２４時間針も時針や分針、秒針の回転軸とは別な部位に設けた回転軸に取付けていることである。従って、携帯時計７０の構成部品で表示板８０と２４時間針７４ａと図示していないモジュールとが前述の携帯時計３０のものと異なっており、他の構成部品は全て同一構成部品を用いて構成しているものである。そして、ここでの指針７４は２４時間針７４ａ、時針３４ｂ、分針３４ｃ、秒針３４ｄとから構成されている。以下、構成部品の異なったものについて説明する。
【００５３】
図８より、表示板８０は、外周領域一周に渡って時字４７と指標４８とからなる１２時間の時刻表示部４６が設けられており、１２時を示す時字４７と中心孔８０ａ（この中心孔８０ａは時針３４ｂ、分針３４ｃ、秒針３４ｄが取付けられる回転軸の挿入孔になっている）の丁度中間部位あたりに２４時間の時刻表示部８１が設けられているものからなっている。また、図中では隠れて見えないが、２４時間針７４ａが取付けられる部位に回転軸７８ａが挿入される小孔が設けられている。ここでの２４時間の時刻表示部８１は、内側の半円上に午前の時刻を表示した時刻表示部８３と外側の半円上に午後の時刻を表示した時刻表示部８２とからなっている。
【００５４】
２４時間針７４ａは、回転軸７８ａを中心にして、長さの短い針体７４ａ１と長さの長
い針体７４ａ２とを持っていて、長さの短い針体７４ａ１で内側の午前の時刻表示部８３を指示し、長さの長い針体７４ａ２で外側の午後の時刻表示部８２を指示するようになっている。
【００５５】
本実施形態で使用されるモジュール（図示していない）は、前述の第１実施形態で用いたモジュールと少し構造が異なり、時針３４ｂ、分針３４ｃ、秒針３４ｄなどを取付ける回転軸をその中心部に持っており、それとは別な部位に上記の２４時間針７４ａを取付ける回転軸７８ａとを持っている。そして、この回転軸７８ａが表示板８０に設けた小孔（図中では２４時間針７４ａで隠れて見えない）に挿入されて２４時間針７４ａが取付けられるようになっている。また、この回転軸７８ａと表示板８０の小孔は２４時間の時刻表示部８１の外側の半円並びに内側の半円の始点及び終点を結ぶラインの丁度真ん中の位置にくるようになっている。
【００５６】
本実施形態の携帯時計７０は２４時間の時刻表示部８１が表示板の中心と１２時の時字４７との間に設けられている。見やすい位置にあって分かり易く、また、表示板にバランスが取れた感じを与える。また、前述の実施形態のデザインとはまた変わったデザインが得られ、変化に富んだデザインバリエーションが得られる。更に、前述の実施形態でも述べたように、外側の時刻表示部８２と内側の時刻表示部８３を異なった色で色分けし、同様に、２４時間針７４ａの長さの長い方の針体７４ａ２と短い方の針体７４ａ１を異なった色で色分けし、そして、長さの長い方の針体７４ａ２の色とこれが指示する外側の時刻表示部８２の色を同一系統色でまとめ、長さの短い方の針体７４ａ１の色とこれが指示する内側の時刻表示部８３の色を同一系統色でまとめれば、指示している時刻表示部が一目して分かり、読取り間違いなども少なくなる。
【００５７】
本実施形態の携帯時計は２４時間の時刻表示部と２４時間針を表示板の中心と１２時の時字との間に設けたものであるが、しかしながら特にその位置には限定するものではない。６時側の方に設けても良いし、また、他の色々な機能表示などが有ればそれらとバランスの取れた位置に設けることもできる。
【００５８】
以上、４つの実施形態に係る本発明の携帯時計について詳細に説明した。本発明の携帯時計の下では、表示板上に省スペースで見やすく、そして読取り易い２４時間の時刻表示を設けることができる。そして、２４時間表示の読取り間違いを少なくすることができる。また、省スペース故、多機能表示の携帯時計にあっては、他の機能の表示を大きくして見やすくすることもできるし、更には、他の機能表示も設けることができる。また、デザイン的にも今までにないものが得られ、デザインの変化に富んだ２４時間表示の携帯時計を提供することができる。また、本発明の２４時間表示は従来のモジュールを使用する。特別にモジュールを製作する必要もない。
【図面の簡単な説明】
【００５９】
【図１】本発明の第１実施形態に係る携帯時計の平面図である。
【図２】図１における携帯時計の要部断面図である。
【図３】図１における表示板と２４時間の時刻表示部を指示する指針との関係を示した平面図である。
【図４】本発明の第２実施形態に係る携帯時計の表示板と２４時間の時刻表示部を指示する指針との関係を示した平面図である。
【図５】本発明の第３実施形態に係る携帯時計の表示板と２４時間の時刻表示部を指示する指針との関係を示した平面図である。
【図６】図５における指針の拡大平面図である。
【図７】本発明の第４実施形態に係る携帯時計の平面図である。
【図８】図７における表示板と２４時間の時刻表示部を指示する指針との関係を示した平面図である。
【図９】非特許文献１に示されたところの時差時計の平面図である。
【図１０】非特許文献２に示されたところの電子腕時計の平面図である。
【符号の説明】
【００６０】
３０、７０    携帯時計
３１    ケース
３２    カバーガラス
３３    バンド
３４、７４    指針
３４ａ、６４ａ、７４ａ    ２４時間針
３４ａ１、３４ａ２、６４ａ１、６４ａ２、７４ａ１、７４ａ２    針体
３４ｂ  時針
３４ｃ  分針
３４ｄ  秒針
３５    リューズ
３６    裏蓋
３７    中枠
３８    モジュール
３８ａ、７８ａ    回転軸
４０、５０、６０、８０    表示板
４１、５１、６１、８１    ２４時間の時刻表示部
４２、５２、６２、８２    外側の時刻表示部
４３、５３、６３、８３    内側の時刻表示部
４６    １２時間の時刻表示部
４７    時字
４８    指標
【図１】
2005221234.tif 000003
【図２】
2005221234.tif 000004
【図３】
2005221234.tif 000005
【図４】
2005221234.tif 000006
【図５】
2005221234.tif 000007
【図６】
2005221234.tif 000008
【図７】
2005221234.tif 000009
【図８】
2005221234.tif 000010
【図９】
2005221234.tif 000011
【図１０】
2005221234.tif 000012